(57)【特許請求の範囲】
【請求項１】
移動局における多元接続通信方法であって、
下りスロットをモニタしてＵＳＦを検出するステップと、
前記ＵＳＦに対応する上りスロットで送信を行うステップと、を有し、
第１の上りスロットに対応するＵＳＦを、第１の下りスロットで検出した場合および第２の下りスロットで検出した場合のいずれの場合にも、前記第１の上りスロットで送信を行う、多元接続通信方法。
【請求項２】
ＴＤＭＡフレームを用いて通信を行う移動局における多元接続通信方法であって、
前記ＴＤＭＡフレームの少なくとも第１の上りスロットが割り当てられるステップと、
前記第１の上りスロットに対応するＵＳＦが割り当てられるステップと、
前記割り当てられたＵＳＦを検出するために前記ＴＤＭＡフレームの下りスロットをモニタするステップと、
前記割り当てられたＵＳＦを検出した場合、前記割り当てられた第１の上りスロットおよび第１の上りスロットより番号の高いすべての割り当てられた上りスロットで送信を行うステップと、を有し、
前記割り当てられたＵＳＦを、前記ＴＤＭＡフレームの第１の下りスロットで検出した場合および第２の下りスロットで検出した場合のいずれの場合にも、前記割り当てられた第１の上りスロットおよび前記第１の上りスロットより番号の高いすべての割り当てられた上りスロットで送信を行う、多元接続通信方法。
【請求項３】
前記第２の下りスロットは、前記第１の下りスロットの次の番号の下りスロットである、請求項１または請求項２記載の方法。
【請求項４】
移動局における多元接続通信方法であって、
下りのパケットデータチャネル（ＰＤＣＨ）をモニタしてＵＳＦを検出するステップと、
前記ＵＳＦに対応する上りのパケットデータチャネルで送信を行うステップと、を有し、
第１の上りのパケットデータチャネルに対応するＵＳＦを第１の下りのパケットデータチャネルで検出した場合および第２の下りのパケットデータチャネルで検出した場合のいずれの場合にも、前記第１の上りのパケットデータチャネルで送信を行う、多元接続通信方法。
【請求項５】
ＴＤＭＡフレームを用いて通信を行う移動局における多元接続通信方法であって、
前記ＴＤＭＡフレームの少なくとも第１の上りのパケットデータチャネル（ＰＤＣＨ）が割り当てられるステップと、
前記第１の上りのパケットデータチャネルに対応するＵＳＦが割り当てられるステップと、
前記割り当てられたＵＳＦを検出するために前記ＴＤＭＡフレームの下りのパケットデータチャネルをモニタするステップと、
前記割り当てられたＵＳＦを検出した場合、前記割り当てられた第１の上りのパケットデータチャネルおよび第１の上りのパケットデータチャネルより番号の高いすべての割り当てられた上りのパケットデータチャネルで送信を行うステップと、を有し、
前記割り当てられたＵＳＦを、前記ＴＤＭＡフレームの第１の下りのパケットデータチャネルで検出した場合および第２の下りのパケットデータチャネルで検出した場合のいずれの場合にも、前記割り当てられた第１の上りのパケットデータチャネルおよび前記第１の上りのパケットデータチャネルより番号の高いすべての割り当てられた上りのパケットデータチャネルで送信を行う、多元接続通信方法。
【請求項６】
前記第２の下りのパケットデータチャネルは、前記第１の下りのパケットデータチャネルの次の番号のパケットデータチャネルである、請求項４または請求項５記載の方法。
【請求項７】
前記第１の上りスロットに対応するＵＳＦを検出した場合には、上り送信のために割り当てられた、前記第１の上りスロットおよび前記第１の上りスロットより番号の高いすべての上りスロットで送信を行う、請求項１記載の方法。
【請求項８】
ｎ番目（ｎは整数）の上りスロットに対応するＵＳＦをｎ番目の下りスロットで検出した場合には、前記ｎ番目の上りスロットで送信を行う、請求項１記載の方法。
【請求項９】
前記ｎ番目の上りスロットに対応するＵＳＦを前記ｎ番目の下りスロットで検出した場合には、上り送信のために割り当てられた、前記ｎ番目の上りスロットおよび前記ｎ番目の上りスロットより番号の高いすべての上りスロットで送信を行う、請求項８記載の方法。
【請求項１０】
８つの連続したスロットでＴＤＭＡフレームが構成されている、請求項１または請求項２記載の方法。
【請求項１１】
ＵＳＦを検出した場合には、次の送信フレームまたは連続した送信フレーム群で送信を行う、請求項１または請求項２記載の方法。
【請求項１２】
上りのＴＤＭＡフレームの開始は、下りのＴＤＭＡフレームの開始より３スロットまたは約３スロット遅れている、請求項１０記載の方法。
【請求項１３】
送信から受信へのリコンフィギュレーション前に隣接セル信号レベル測定および受信準備をするステップをさらに有する、請求項１または請求項２記載の方法。
【請求項１４】
隣接セル信号レベル測定および受信準備をするのに必要な時間は、３スロットである、請求項１３記載の方法。
【請求項１５】
隣接セル信号レベル測定および受信準備をするのに必要な時間は、１スロットである、請求項１３記載の方法。
【請求項１６】
隣接セル信号レベル測定および受信準備をするのに必要な時間は、１スロットと３１シンボル期間タイミングアドバンスオフセットである、請求項１３記載の方法。
【請求項１７】
受信から送信へのリコンフィギュレーション前に隣接セル信号レベル測定および送信準備をするステップをさらに有し、
隣接セル信号レベル測定および送信準備をするのに必要な時間は、１スロットである、請求項１または請求項２記載の方法。
【請求項１８】
上り送信に対して１上りＴＤＭＡフレーム当たり３スロットを割り当てる、請求項１４記載の方法。
【請求項１９】
上り送信に対して１上りＴＤＭＡフレーム当たり５スロットを割り当てる、請求項１５または請求項１６記載の方法。
【請求項２０】
上り送信に対して１上りＴＤＭＡフレーム当たり６スロットを割り当てる、請求項１７記載の方法。
【請求項２１】
前記移動局のマルチスロットクラスの番号は、マルチスロットクラス７、３４、３９、および４５のいずれかである、請求項１から請求項２０のいずれかに記載の方法。
【請求項２２】
多元接続通信のための移動局装置であって、
下りスロットをモニタしてＵＳＦを検出する検出手段と、
前記ＵＳＦに対応する上りスロットで送信を行う送信手段と、を有し、
前記検出手段が、第１の上りスロットに対応するＵＳＦを、第１の下りスロットで検出した場合および第２の下りスロットで検出した場合のいずれの場合にも、前記送信手段は、前記第１の上りスロットで送信を行う、移動局装置。
【請求項２３】
ＴＤＭＡフレームを用いて通信を行う移動局装置であって、
前記ＴＤＭＡフレームの少なくとも第１の上りスロットの割り当ておよび前記第１の上りスロットに対応するＵＳＦの割り当てを受信する受信手段と、
前記割り当てられたＵＳＦを検出するために前記ＴＤＭＡフレームの下りスロットをモニタする検出手段と、
前記割り当てられたＵＳＦを検出した場合、前記割り当てられた第１の上りスロットおよび第１の上りスロットより番号の高いすべての割り当てられた上りスロットで送信を行う送信手段と、を有し、
前記検出手段が、前記割り当てられたＵＳＦを、前記ＴＤＭＡフレームの第１の下りスロットで検出した場合および第２の下りスロットで検出した場合のいずれの場合にも、前記送信手段は、前記割り当てられた第１の上りスロットおよび前記第１の上りスロットより番号の高いすべての割り当てられた上りスロットで送信を行う、移動局装置。
【請求項２４】
前記第２の下りスロットは、前記第１の下りスロットの次の番号の下りスロットである、請求項２２または請求項２３記載の装置。
【請求項２５】
多元接続通信のための移動局装置であって、
下りのパケットデータチャネル（ＰＤＣＨ）をモニタしてＵＳＦを検出する検出手段と、
前記ＵＳＦに対応する上りのパケットデータチャネルで送信を行う送信手段と、を有し、
前記検出手段が、第１の上りのパケットデータチャネルに対応するＵＳＦを第１の下りのパケットデータチャネルで検出した場合および第２の下りのパケットデータチャネルで検出した場合のいずれの場合にも、前記送信手段は、前記第１の上りのパケットデータチャネルで送信を行う、移動局装置。
【請求項２６】
ＴＤＭＡフレームを用いて通信を行う移動局装置であって、
前記ＴＤＭＡフレームの少なくとも第１の上りのパケットデータチャネル（ＰＤＣＨ）の割り当ておよび前記第１の上りのパケットデータチャネルに対応するＵＳＦの割り当てを受信する受信手段と、
前記割り当てられたＵＳＦを検出するために前記ＴＤＭＡフレームの下りのパケットデータチャネルをモニタする検出手段と、
前記割り当てられたＵＳＦを検出した場合、前記割り当てられた第１の上りのパケットデータチャネルおよび第１の上りのパケットデータチャネルより番号の高いすべての割り当てられた上りのパケットデータチャネルで送信を行う送信手段と、を有し、
前記検出手段が、前記割り当てられたＵＳＦを、前記ＴＤＭＡフレームの第１の下りのパケットデータチャネルで検出した場合および第２の下りのパケットデータチャネルで検出した場合のいずれの場合にも、前記送信手段は、前記前記割り当てられた第１の上りのパケットデータチャネルおよび前記第１の上りのパケットデータチャネルより番号の高いすべての割り当てられた上りのパケットデータチャネルで送信を行う、移動局装置。
【請求項２７】
前記第２の下りのパケットデータチャネルは、前記第１の下りのパケットデータチャネルの次の番号のパケットデータチャネルである、請求項２５または請求項２６記載の装置。
【請求項２８】
前記第１の上りスロットに対応するＵＳＦを検出した場合には、上り送信のために割り当てられた、前記第１の上りスロットおよび前記第１の上りスロットより番号の高いすべての上りスロットで送信を行う、請求項２２記載の装置。
【請求項２９】
ｎ番目（ｎは整数）の上りスロットに対応するＵＳＦをｎ番目の下りスロットで検出した場合には、前記ｎ番目の上りスロットで送信を行う、請求項２２記載の装置。
【請求項３０】
前記ｎ番目の上りスロットに対応するＵＳＦを前記ｎ番目の下りスロットで検出した場合には、上り送信のために割り当てられた、前記ｎ番目の上りスロットおよび前記ｎ番目の上りスロットより番号の高いすべての上りスロットで送信を行う、請求項２９記載の装置。
【請求項３１】
８つの連続したスロットでＴＤＭＡフレームが構成されている、請求項２２または請求項２３記載の装置。
【請求項３２】
ＵＳＦを検出した場合には、次の送信フレームまたは連続した送信フレーム群で送信を行う、請求項２２または請求項２３記載の装置。
【請求項３３】
上りのＴＤＭＡフレームの開始は、下りのＴＤＭＡフレームの開始より３スロットまたは約３スロット遅れている、請求項３１記載の方法。
【請求項３４】
送信から受信へのリコンフィギュレーション前に受信準備をし、受信から送信へのリコンフィギュレーション前に送信準備をする準備手段と、
送信から受信へのリコンフィギュレーション前または受信から送信へのリコンフィギュレーション前に隣接セル信号レベル測定を行う測定手段と、
をさらに有する、請求項２２または請求項２３記載の装置。
【請求項３５】
前記測定手段は、送信から受信へのリコンフィギュレーション前に隣接セル信号レベル測定を行い、
隣接セル信号レベル測定および受信準備をするのに必要な時間は、３スロットである、請求項３４記載の装置。
【請求項３６】
前記測定手段は、送信から受信へのリコンフィギュレーション前に隣接セル信号レベル測定を行い、
隣接セル信号レベル測定および受信準備をするのに必要な時間は、１スロットである、請求項３４記載の装置。
【請求項３７】
前記測定手段は、送信から受信へのリコンフィギュレーション前に隣接セル信号レベル測定を行い、
隣接セル信号レベル測定および受信準備をするのに必要な時間は、１スロットと３１シンボル期間タイミングアドバンスオフセットである、請求項３４記載の装置。
【請求項３８】
前記測定手段は、受信から送信へのリコンフィギュレーション前に隣接セル信号レベル測定を行い、
隣接セル信号レベル測定および送信準備をするのに必要な時間は、１スロットである、請求項３４記載の装置。
【請求項３９】
上り送信に対して１上りＴＤＭＡフレーム当たり３スロットが割り当てられている、請求項３５記載の装置。
【請求項４０】
上り送信に対して１上りＴＤＭＡフレーム当たり５スロットが割り当てられている、請求項３６または請求項３７記載の装置。
【請求項４１】
上り送信に対して１上りＴＤＭＡフレーム当たり６スロットが割り当てられている、請求項３８記載の装置。
【請求項４２】
マルチスロットクラスの番号は、マルチスロットクラス７、３４、３９、および４５のいずれかである、請求項２２から請求項４１のいずれかに記載の装置。
【請求項４３】
移動局と前記移動局が属するネットワークとを有する多元接続通信システムであって、
前記ネットワークは、前記移動局にＵＳＦを下りスロットで送信し、
前記移動局は、下りスロットをモニタしてＵＳＦを検出する検出手段と、
前記ＵＳＦに対応する上りスロットで送信を行う送信手段と、を有し、
前記検出手段が、第１の上りスロットに対応するＵＳＦを、第１の下りスロットで検出した場合および第２の下りスロットで検出した場合のいずれの場合にも、前記送信手段は、前記第１の上りスロットで送信を行う、多元接続通信システム。
【発明の詳細な説明】
【技術分野】
【０００１】
本発明は、多元接続通信システムに関し、特に、時分割多元接続システムにおける動的リソース割り当てに関する。
【背景技術】
【０００２】
ＧＳＭなどの多元接続無線システムにおいては、多くの移動局がネットワークとの通信を行う。移動局が使用する物理通信チャネルの割り当ては固定されている。ＧＳＭシステムの記述は、非特許文献１に見つけることができる。
【０００３】
時分割多元接続（ＴＤＭＡ：Time Division Multiple Access）システムにおけるパケットデータ通信の到来とともに、リソースの割り当て、特に物理通信チャネルの使用において、より高い柔軟性が求められている。汎用パケット無線システム（ＧＰＲＳ：General Packet Radio System）におけるパケットデータ伝送のために、多くのパケットデータチャネル（ＰＤＣＨ：Packet Data CHannel）によって物理通信リンクが提供される。時分割は持続時間４.６１５ｍｓのフレームを単位とし、各フレームは８つの連続する０.５７７ｍｓのスロットを含んでいる。ＧＰＲＳシステムの記述は、非特許文献２に見つけることができる。スロットは上りまたは下りの通信に使用される。上りの通信は、移動局からの送信であり、当該移動局が属するネットワークによって受信される。ネットワークからの送信であって移動局による受信は、下りと称される。
【０００４】
利用可能な帯域を最も効率的に利用するために、チャネルへのアクセスは、チャネル状態、トラヒック負荷、サービスの質（ＱｏＳ：Quality of Service）、およびサブスクリプションクラスの変化に応じて割り当てることができる。常に変化するチャネル状態およびトラヒック負荷のため、利用可能なチャネルを動的に割り当てる方法が利用可能である。
【０００５】
移動局が下りの受信または上りの送信に用いる時間量はさまざまであり、スロットはそれに応じて割り当てられる。受信および送信に割り当てられるスロット列、いわゆるマルチスロットパターンは、通常、ＲＸＴＹの形で表される。割り当てられた受信（Ｒ）スロットの数がＸであり、割り当てられた送信（Ｔ）スロットの数がＹである。
【０００６】
ＧＰＲＳのオペレーションのために１から４５までの多くのマルチスロットクラスが定義され、各クラスに対して上り（Ｔｘ）と下り（Ｒｘ）の最大スロット割り当て数が規定されている。
【０００７】
ＧＰＲＳシステムにおいて、共有チャネルへのアクセスは、通信中の各移動局（ＭＳ）に下り送信されるアップリンクステータスフラグ（ＵＳＦ：Uplink Status Flag）によって制御される。ＧＰＲＳでは、ＵＳＦを受信した際にどの上りスロットが利用可能となるかについて規定が異なる２つの割り当て方法が定義されている。本発明は、移動局による潜在的な利用のために同じ数「Ｎ」のＰＤＣＨを割り当てる特別の割り当て方法に関する。ここで、「ＰＤＣＨ」は、互いに一対一で対応する一対の上りスロットと下りスロットを表している。上りチャネルを共有する特定の移動局による実際の使用に供される上りスロットは、ＵＳＦに示される。ＵＳＦは、Ｖ０からＶ７までの８つの値を取ることができるデータ項目である。このＵＳＦによって、上りのリソースを最大で８台の移動局（各移動局はこれら８つの値のうちの１つを「有効」と認識する）に割り当てることができる、つまり、リソースの独占的使用をその移動局に与えることができる。ある特定の移動局は、この移動局に割り当てられたスロットごとに異なるＵＳＦ値を認識することができる。拡張動的割り当て方法の場合、例えば、現フレームのスロット２で有効なＵＳＦを受信すると、これは次のＴＤＭＡフレームまたはフレーム群において送信スロット２からのＮ個を実際に送信可能であることを示している。ここで、Ｎは割り当てられたＰＤＣＨの数である。通常は、受信スロットｎで有効なＵＳＦを受信すると、次の送信フレームにおいて送信スロットｎ，ｎ＋１，以下同様に、割り当てられたスロット数（Ｎ）までの送信スロットで送信が行われる。ここで定義した拡張動的割り当て方法の場合、割り当てられたスロットは常に連続している。
【非特許文献１】M.Mouly, M.B.Paulet, "The GSM System for Mobile Communications", ISBN reference 2-9507190-0-7, 1992
【非特許文献２】３ＧＰＰ ＴＳ ４３.０６４ ｖ５.１.１
【発明の開示】
【発明が解決しようとする課題】
【０００８】
移動局は受信状態から送信状態へ（逆もまた同様）瞬間的に切り替えを行えるものではなく、このリコンフィギュレーションに割り当てられる時間はターンアラウンド時間として知られている。また、移動局は、パケット転送モードにあるとき、隣接セル測定を行う必要もある。移動局は、絶えず、ＢＡ（ＧＰＲＳ）リストで示されたすべての報知制御チャネル（ＢＣＣＨ：Broadcast Control CHannel）キャリアおよびサービス提供（serving）セルのＢＣＣＨキャリアをモニタする必要がある。少なくとも１つのＢＣＣＨキャリアについて、ＴＤＭＡフレームごとに受信信号レベル測定サンプルが取られる（３ＧＰＰ ＴＳ ４５.００８ ｖ５.１０.０）。ネットワークが移動局に対して保証するターンアラウンド時間および測定時間は、その移動局が適合性を主張するマルチスロットクラスに依存する（３ＧＰＰ ＴＳ ４５.００２ ｖ５.９.０ Ａｎｎｅｘ Ｂ）。
【０００９】
隣接セル測定は、受信から送信へのリコンフィギュレーション前または送信から受信へのリコンフィギュレーション前に行われる。
【００１０】
拡張動的割り当てモードで動作する移動局は、現在、最初の有効なＵＳＦが認識された受信（Ｒｘ）タイムスロットに対応する送信（Ｔｘ）タイムスロットで上り送信を開始しなければならない。すなわち、下りの割り当てシグナリングのタイミングとその後の上りの送信との間には、固定した関係がある。単一トランシーバの移動局には物理的制約があるため、いくつかの望ましいマルチスロットコンフィギュレーションを利用できない。
【００１１】
この制約によって上り送信に対するスロットの利用可能性が低減され、もってデータの流れおよび変化する状態に対する応答の柔軟性が低減される。従って、現在拡張動的割り当てに利用できないマルチスロットコンフィギュレーションを利用可能にする方法を提供する必要がある。
【００１２】
本発明の目的は、既存の規定（prescript）に対する影響を最小限にしつつ、拡張動的割り当てに影響を与える制約を低減することである。
【課題を解決するための手段】
【００１３】
この目的は、あるクラスの移動局に対して、下りの割り当てシグナリングのタイミングとその後の上りの送信との間の固定した関係を変更することによって達成される。本発明によれば、上りパケットデータ送信を制御する方法、ならびに、添付のクレームに記載の方法に従って動作する移動局が提供される。
【発明を実施するための最良の形態】
【００１４】
本実施の形態において、本発明は、複数のマルチスロットクラスに適用される規格に従って動作するＧＰＲＳ無線ネットワークに適用される。
【００１５】
図１には、ＧＰＲＳ ＴＤＭＡフレーム構造が示されており、上り（Ｔｘ）および下り（Ｒｘ）のタイムスロットに用いられる番号付け規則を示している。注目すべきは、図示しないが、実際上はタイミングアドバンス（ＴＡ）により、ＴｘはＲｘに対して進んでいても良いことである。従って、実際上は、タイミングアドバンスにより、１フレームの最初のＲｘと最初のＴｘとの間の時間量を、図示する値の３スロットから少しだけ（１スロットに満たない分とする）減らしても良い。
【００１６】
下り（ＤＬ）スロットおよび上り（ＵＬ）スロットを別々に示しつつ、２つの連続するＴＤＭＡフレームが図示されている。第１フレーム内のスロット位置は０から７の数字で示され、送信スロットと受信スロットのオフセットは３スロットのマージンで示されている。これは、ＴＤＭＡの第１送信フレームは第１受信フレームよりも３オフセット分遅れているという規則に従うものである（従って、通常のシングルスロットＧＳＭは送信スロット１と受信スロット１のみが用いられる特殊な場合とみなすことができる）。
【００１７】
残りの図面は図１と同様であるが、より一層明確にするためにスロット番号は除いている。斜線を施したスロットは特定の状態のために割り当てられたスロットであり、矢印の付いた挿入は適用される測定区間およびターンアラウンド区間を示している。格子模様を施したスロットは有効なＵＳＦの受信と、そのＵＳＦを受信したタイムスロットとを示している。上記のように、測定スロットおよびターンアラウンドスロットを割り当てる必要があるために制約が課されており、３ＧＰＰ ＴＳ ４５.００２ Ａｎｎｅｘ Ｂでは、そのための規定によって、表１に示すように動的割り当てが制限されている。
【００１８】
【表１】
0003586461.tif 000002
Ｔｔａは、ＭＳが隣接セル信号レベル測定および送信準備をするのに必要な時間である。
Ｔｔｂは、ＭＳが送信準備をするのに必要な時間である。
Ｔｒａは、ＭＳが隣接セル信号レベル測定および受信準備をするのに必要な時間である。
Ｔｒｂは、ＭＳが受信準備をするのに必要な時間である。
注目すべきは、実際上はタイミングアドバンスにより、時間ＴｔａおよびＴｔｂを少しだけ（１スロットに満たない分とする）減らしても良いことである。
ｔ０は、３１シンボル期間タイミングアドバンスオフセットである。
【００１９】
図２を参照して、同図にはクラス３４の移動局に対する定常状態の下り１スロット、上り４スロットの割り当てが示されている。このクラスに対するターンアラウンド期間および測定期間は、表１に、おのおの１スロットを有するＴｒａ、Ｔｒｂ、Ｔｔｂとして、また、２スロットを有するＴｔａとして示されている。この割り当ての場合は、有効なＵＳＦがタイムスロット０で受信されたとき、これらの期間を受け入れることができる。
【００２０】
しかし、上りスロットの割り当てが５スロットになると、クラス３４の移動局に対する下り１スロット、上り５スロットの割り当てを示す図３に示すように、制約が生じる。この制約は、送信から受信へ切り替えるための時間（Ｔｒｂ）を割り当てられないため、「Ａ」で示す位置で生じる。下りタイムスロット０で、有効なＵＳＦが受信され、次の２スロットでＴｔａを提供する。本発明によれば、本実施の形態では、移動局は、パケット上り割り当て（Packet Uplink Assignment）メッセージおよびパケットタイムスロットリコンフィギュア（Packet Timeslot Reconfigure）メッセージにおけるＵＳＦ＿ＴＮ０からＵＳＦ＿ＴＮ７の情報要素（Information Element）を用いることで、上りスロットを通常の方法で割り当てる。しかし、ネットワークは、第１の割り当てタイムスロットと第２の割り当てタイムスロットの両方に対して、第２の割り当てタイムスロットに関連する下りＰＤＣＨでＵＳＦを送信する。
【００２１】
一例として、上記のように、ネットワークがＵＳＦ＿ＴＮ０をタイムスロット０でなくタイムスロット１で送信する、上り５スロットが割り当てられたクラス３４ＭＳについて考える。この配置は図４に示されており、同図から分かるように、「Ｂ」および「Ｃ」の付いたスロットはそれぞれターンアラウンド時間ＴｒａおよびＴｒｂを提供する。
【００２２】
ネットワークによる上り４スロットのＭＳへの割り当ては、タイムスロット１でＵＳＦ＿ＴＮ１を送信することによって示される。ＵＳＦ＿ＴＮ０とＵＳＦ＿ＴＮ１の２つの信号の特性は相違していなければならず、しかも移動局によって区別できなければならない。
【００２３】
いつシフトＵＳＦメカニズムが用いられるかを示すために特別の情報要素を追加する必要はない。特定のマルチスロットクラスの移動局に対するタイムスロット割り当てにおいて暗黙的に示すことができるためである。従って、シグナリングのオーバヘッドの増加は必要ない。
【００２４】
図５を参照して、図５にはシフトＵＳＦの実施によって可能になった割り当ての他の例が示されている。この適用例は、上り３スロットが割り当てられたクラス７のＭＳである。上り３スロットを割り当てる下りスロット１上のＵＳＦは、利用可能な最初の上りスロットが通常のスロット１ではなく上りスロット０であることを示している。これは、（表１により要求されるように）また図５においてそれぞれＤおよびＥで示す期間ＴｔｂおよびＴｒａを提供する。この割り当ては、Ｔｒａに対する十分な期間がないために、これまで利用可能でなかったものである。
【００２５】
図６に示す２スロットの割り当ては通常の動作に戻っている、つまり、ＵＳＦのシフトは行われていない。図６のこの２スロット割り当ての場合、通常の割り当てにおいて物理的制約はなく、タイムスロット１の標準ＵＳＦによって上りスロット番号１から始まる上りスロットが割り当てられる。
【００２６】
あるいは、上り割り当ての所定位置のシフトを示す積極的なシグナリングを適用することが便利なこともあり、図７には拡張動的割り当て動作を行う移動局におけるシフトＵＳＦの実施例が示されている。注目すべきは、図７の２は、明示（つまり、特別のシグナリング）であっても、黙示（特定のマルチスロットクラスコンフィギュレーションに対して自動的）であっても良い。図７を参照して、移動局は、１で、ネットワークから上りリソースおよびＵＳＦの割り当てを受ける。もし２で、シフトＵＳＦの使用を示すインディケーションを検出すると、第１のＵＳＦに対して、第２の下りスロットをモニタし（３）、さもなければ第１の下りスロットをモニタする（４）。いずれにせよ、５で有効なＵＳＦを受信すると、移動局から第１の上りスロットで上り送信を開始する（６）。５で有効なＵＳＦを受信しなかった場合は、７で、第２のＵＳＦに対して第２の下りスロットをモニタし、有効であれば（８）、第２の上りスロットで上り送信を開始する（９）。
【００２７】
図２から図６に示す例では、割り当てが定常状態であるため、図示の割り当てはフレーム間で維持されている。本発明は、定常状態の割り当てに限定されるわけではなく、フレームごとに変化する上りリソースの制御にも適用可能である。
【００２８】
図８および図９には移行の例が示されている。これらの図はおのおの４つの連続するフレームを示しているが、提示のため分割されている。
【００２９】
図８は、クラス３４の移動局に対する、上り１スロットの割り当てから上り５スロットの割り当てへの移行を示している。最初の（上側の）２つのフレームは１スロットの定常状態の動作を示し、次の（下側の）２つのフレームは移行フレームを示している。この移行ではＵＳＦのスロット位置が変更されている。
【００３０】
図９は、クラス３４の移動局に対する、上り４スロットから上り５スロットへの移行を示している。最初の２フレームは４スロットの定常状態の動作を示し、次の２フレームは移行フレームを示している。この移行では、ＵＳＦのスロット位置は変わらないが、ＵＳＦの値が変更されている。
【００３１】
ＧＰＲＳにおいて本発明を実施するため、例えば、タイプ１のＭＳに対して、表（表２）を作り、以下の原理を用いて拡張動的割り当てを可能にすることができる。
【００３２】
拡張動的割り当ての場合、ＭＳが「物理的スロット限界まで送信」できることが望ましい。特に、ＭＳは、ＵＳＦ値をきっちり１スロットで受信し復号し続けるとともに測定を実行しつつ、そのマルチスロットクラスの制限に従って可能な最大スロット数を送信可能であるべきである。Ｔｒａを用いるとＭＳが「物理的スロット限界まで送信」することを可能にするマルチスロットコンフィギュレーションを定義できない場合において、Ｔｔａを用いるとそれが可能になるときは、Ｔｔａを用いる。
【００３３】
ＭＳが「物理的スロット限界まで送信」することを可能にする拡張動的割り当てのマルチスロットコンフィギュレーションを定義できない場合において、シフトＵＳＦメカニズムを用いるとそれが可能になるときは、シフトＵＳＦを用いる。この場合、Ｔｒａを最優先で用い、これが不可能なときにＴｔａを第２優先で用いる。
【００３４】
【表２】
0003586461.tif 000003
【図面の簡単な説明】
【００３５】
【図１】上り（ＵＬ）および下り（ＤＬ）のタイムスロットに用いられる番号付け規則を示すＧＰＲＳ ＴＤＭＡフレーム構造を示す図
【図２】従来技術の４スロット定常状態の割り当てＲ１Ｔ４を示す図
【図３】従来技術では禁止されている５スロット定常状態の割り当てＲ１Ｔ５を示す図
【図４】本発明に係る方法によって可能になった５スロット定常状態の割り当てＲ１Ｔ５を示す図
【図５】上り３スロットを割り当てたクラス７移動局（ＭＳ）に適用されるシフト（shifted）ＵＳＦを示す図
【図６】上り２スロットを割り当てたクラス７移動局（ＭＳ）を示す図
【図７】移動局においてシフトＵＳＦを実施するためのフロー図
【図８】クラス３４移動局（ＭＳ）に対する上り１スロットから上り５スロットへの移行を示す図
【図９】クラス３４移動局（ＭＳ）に対する上り４スロットから上り５スロットへの移行を示す図
【要約】      （修正有）【課題】望ましいマルチスロットコンフィギュレーションを利用できるようにする。【解決手段】通信チャネルの割り当てにおいて選択の対象を追加するために、あるクラスの移動局に対して、物理的制約を回避するために、下りの割り当てシグナリングのタイミングとその後の上りの送信との間の固定した関係を変更する。【選択図】図７【図１】
0003586461.tif 000004
【図２】
0003586461.tif 000005
【図３】
0003586461.tif 000006
【図４】
0003586461.tif 000007
【図５】
0003586461.tif 000008
【図６】
0003586461.tif 000009
【図７】
0003586461.tif 000010
【図８】
0003586461.tif 000011
【図９】
0003586461.tif 000012